(57)【要約】      （修正有）【課題】遊技機のメダル投入口から異物を投入して行われる不正行為を直ちに発見することを可能にする。【解決手段】メダル投入口２５からメダル検出センサ５６までのメダル通路５７の任意の場所に設けられ、前記メダル投入口に投入したメダルが当接することにより回転する回転ローラ６３と、前記回転ローラ６３の回転方向を検出する回転方向検出手段と、前記回転ローラ６３が正常な方向とは異なる方向に回転したことが検出されたことに基づき、遊技機の異常と判断する異常判別手段とを設ける。【選択図】図５
2010201106.tif 000002
【特許請求の範囲】
【請求項１】
遊技媒体投入口からメダル検出センサまでの遊技媒体通路の任意の場所に設けられ、前記遊技媒体投入口に投入した遊技媒体が当接することにより回転する回転ローラと、
前記回転ローラの回転方向を検出する回転方向検出手段と、
前記回転方向検出手段により前記回転ローラが前記遊技媒体を流下させる正常な方向とは異なる方向に回転したことが検出されたことに基づき、前記遊技媒体通路への異物の挿入による異常と判断する異常判別手段と、
を有することを特徴とする遊技機。
【請求項２】
前記異常判別手段は、前記回転ローラが正常な方向とは異なる方向に所定角度を超えて回転した場合に、前記異常と判断する、ことを特徴とする請求項１に記載の遊技機。
【請求項３】
前記所定角度は、前記回転ローラの周面が前記遊技媒体の直径より長く移動する距離に相当する角度である、ことを特徴とする請求項２に記載の遊技機。
【請求項４】
前記異常判別手段により前記異常と判断されたことに基づき、異常報知信号を出力する異常報知手段を、さらに有する、ことを特徴とする請求項１〜３のいずれかに記載の遊技機。
【発明の詳細な説明】
【技術分野】
【０００１】
本発明はメダルやコインのような遊技媒体を利用して遊技を行う遊技機に係り、詳しくは投入口に投入される遊技媒体を、これと接触する回転ローラを用いて所定方向へ導くように構成した遊技機に関する。
【背景技術】
【０００２】
スロットマシン、ルーレットゲーム装置、プッシャーゲーム装置等の遊技機では、メダルやコインといった遊技媒体（以下「メダル」と称する）を投入することで遊技が開始される。
【０００３】
この種の遊技機において、メダルの投入操作を円滑にするため、メダル投入口の喉部に回転ローラを設け、その順方向の回転力によりメダルを姿勢変化させながら投入口に案内する構造としたメダル案内装置が知られている（下記特許文献１）。
【０００４】
このメダル案内装置は、回転ローラの順方向の回転つまりメダル送り込み方向の回転だけを許容し、回転ローラの逆方向の回転についてはこれを阻止する構造となっている。これは投入口から異物を進入させて、その内部に配設された判別装置（セレクタ装置）に対して不正な行為が行われるのを防止するためである。
【０００５】
代表的な不正行為は、図１４に示すように、不正行為者が遊技機のメダル投入口から俗に「クレマン君」と称される不正器具Ｆをメダルセレクタ９００へ挿入し、その先端に設けた発光素子Ｆｌ、Ｆｌを順に発光させることにより、メダルの通過を擬似的に再現して２つのフォトセンサからなるメダル検出センサ９０１、９０２を誤作動させ、クレジットを短時間で大幅に増加させるものである。
【０００６】
回転ローラが順方向のみ回転可能で逆方向には回転しない構造であれば、上記不正器具Ｆの如き異物を投入口から進入させて判別装置を作動させたとしても、その異物を引き抜くことが不可能となるため、上記異物による不正行為を効果的に防止することが可能となる。
【先行技術文献】
【特許文献】
【０００７】
【特許文献１】特開２００７−０８２６９８号公報
【発明の概要】
【発明が解決しようとする課題】
【０００８】
しかしながら、回転ローラの順方向の回転を阻止する構造だけでは上記のような異物の進入による不正行為を防止できない場合がある。すなわち、差し込まれる異物は通常長い板状の不正器具であるため、この板状の不正器具に潤滑剤等を付着させておくと、たとえ回転ローラが回転阻止状態であっても回転ローラに対する摩擦力が小さくなるため、板状の不正器具をすべらせて引き抜くことが可能となる。このため容易に不正行為ができてしまう。しかも痕跡が残らない可能性があり、不正行為を発見する時期が遅れるという問題がある。
【０００９】
そこで、本発明の目的は、上記課題を解決し、メダル投入口から異物を投入して行われる不正行為を直ちに発見することができる遊技機を提供することにある。
【課題を解決するための手段】
【００１０】
本発明の上記目的は、下記の手段によって達成される。なお括弧内は実施形態中の対応要素を示すものであるが、本発明はこれに限定されるものではない。
【００１１】
（１）遊技媒体投入口（メダル投入口２５）からメダル検出センサ（５６）までの遊技媒体通路（メダル通路５７）の任意の場所に設けられ、前記遊技媒体投入口に投入した遊技媒体が当接することにより回転する回転ローラ（回転ローラ６３）と、
前記回転ローラの回転方向を検出する回転方向検出手段（回転方向検出センサ７０）と、
前記回転方向検出手段により前記回転ローラが前記遊技媒体を流下させる正常な方向とは異なる方向に回転したことが検出されたことに基づき、前記遊技媒体通路への異物の挿入による異常と判断する異常判別手段（ステップＳ１０１）と、
を有することを特徴とする遊技機。
【００１２】
（２）前記異常判別手段は、前記回転ローラが正常な方向とは異なる方向に所定角度を超えて回転した場合に、前記異常と判断する、ことを特徴とする上記（１）に記載の遊技機。
【００１３】
（３）前記所定角度は、前記回転ローラの周面が前記遊技媒体の直径より長く移動する距離に相当する角度である、ことを特徴とする上記（２）に記載の遊技機。
【００１４】
（４）前記異常判別手段により前記異常と判断されたことに基づき、異常報知信号を出力する異常報知手段（ステップＳ１０２）を、さらに有することを特徴とする上記（１）〜（３）のいずれかに記載の遊技機。
【発明の効果】
【００１５】
本発明によれば、仮にメダル投入口からメダルセレクタ内に不正器具を侵入させて不正行為を行おうとしても、侵入させた不正器具を引き出す際に、回転ローラが逆方向に回転するため、不正器具による不正行為あったことが迅速に検出され、結果として不正を未然に防止することができる。また、回転ローラが逆方向に回転した場合でも、メダルの直径より長い距離に相当する所定角度を超えて回転した場合にのみ異常と判断するため、通常のメダル詰まりの除去に際して生じる回転ローラの逆回転であれば、特には異常報知は行われない。したがって、真に異常な不正行為が行われる場合のみ、その旨の警報を発することができる。
【図面の簡単な説明】
【００１６】
【図１】本発明に係る遊技機の外観を示す正面側の斜視図である。
【図２】本発明に係る遊技機の筐体内部の概略的な構成を示す図である。
【図３】本発明に係る遊技機の前面扉の背面側の概略的な構成を示す図である。
【図４】本発明に係る遊技機のメダルセレクタを示す図である。
【図５】本発明に係る遊技機のメダル通路とこれに設けられた回転ローラとの位置関係を示した図である。
【図６】本発明に係る遊技機のメダル通路を通過するメダルの方向と回転ローラの回転方向との関係を示した図である。
【図７】本発明に係る遊技機の回転方向検出センサの構成と回転ローラの回転方向を検出する原理の説明に供する図である。
【図８】本発明に係る遊技機の回転ローラの回転方向が逆方向の場合に異常を報知するフローチャートを示した図である。
【図９】本発明に係る遊技機の回転ローラとメダルとの摩擦を増大させる構成例を示したもので、（ａ）は表面を粗面化した構造を、（ｂ）はフリクション層とした構造を、（ｃ）はメダル通路に突起を設けた構造を示した図である。
【図１０】（ａ）は投入口に異物を侵入する際の作用を示す図、（ｂ）は投入口から異物を引き出す際の作用を示す図である。
【図１１】従来のメダルセレクタの構成及び課題を説明するための図である。
【発明を実施するための形態】
【００１７】
以下、図面を参照しながら、本発明に係る回胴式遊技機の実施形態について詳細に説明する。
【００１８】
本実施形態における回胴式遊技機は、図１に示すように、前面側が開放された矩形状の筐体１と、その筐体１の前面側を覆う矩形状の前扉２とを備えている。
【００１９】
筐体１は木製で、左側板３および右側板４の上端同士および下端同士を上板５及び底板６で連結し、裏面側を背板７で覆うことにより、前側が開放された箱形に形成されている。
【００２０】
筐体１内には、図２に示すように、左右の側板３、４の間に金属製の中間棚８を渡してあり、この中間棚８上に横並びに３個の回胴９を並置した構造の回胴装置ユニット１０が、着脱可能に取り付けてある。
【００２１】
各回胴９は、その外周に複数種類の図柄が表示された図柄配列帯を有しており、各回胴９の停止時の上記図柄の組み合せによって遊技結果を表示する。この各回胴９は、それぞれ図示してないパルスモータにより回転駆動され、上記図柄が変動表示可能となっている。
【００２２】
また筐体１の底板６には、投入されたメダルを貯留すると共に、メダル受け皿３５（図１参照）にメダルを払い出し可能なメダル払出装置１１が取り付けられている。このメダル払出装置１１は、払い出し用のメダルを貯留するメダルホッパー１２、このメダルホッパー１２内のメダルを払い出すメダル払出装置本体１３、メダルホッパー１２から溢れたメダルをメダル補助収納庫１４側に排出する余剰メダル排出口１５等を備え、底板６上に着脱自在に装着されている。
【００２３】
さらに筐体１内には、電源基板が格納された電源基板ケース１６、遊技に関する制御を司る主制御基板２１を収容した主制御基板ケース１７、出玉率に変化をもたらす回胴設定基板（操作基板）１８、メダル払出装置１１を駆動制御するメダル払出制御基板（図示はしていない）等が配設されている。
【００２４】
図１に示すように、前扉２には、遊技機のほぼ中央部に回胴視認部１９を、またその上方に液晶画面視認部２０を設けてある。
【００２５】
回胴視認部１９内には、上記した回胴装置ユニット１０の３個の回胴９が位置しており、遊技者側から視認し得るようになっている。また図面には示してないが、回胴視認部１９には、ここを横および斜めに横断する形で計５本の入賞ラインが施されている。これらの入賞ラインは、単位遊技（１ゲーム）に対するメダルの投入枚数（賭け数）に応じてそれぞれ有効になる。この有効となった入賞ライン上で、３つの回胴９が停止した際の停止図柄の組み合わせが、当選した入賞役と一致した場合に入賞が確定し、上記停止図柄の組み合わせに応じた遊技価値が遊技者に付与される。
【００２６】
また、液晶画面視認部２０内には液晶表示装置２２（ＬＣＤユニット２２）が位置しており、遊技者はこの液晶画面視認部２０を介して液晶表示装置２２の表示画面２３を前側から視認可能となっている。この液晶表示装置２２の表示画面２３には、遊技に伴う演出が画像表示されると共に、過去の遊技の履歴、クレジット数、メダルの投入枚数、入賞による払い出し枚数等の遊技情報も表示される。
【００２７】
回胴視認部１９の左右側には、ＬＥＤを内蔵し、光の装飾により遊技に伴う演出を現出する装飾ランプ部２４が設けられている。
【００２８】
また液晶画面視認部２０の下方の段部には、遊技に供する遊技媒体としてのメダルを投入するためのメダル投入口２５を有するメダル投入装置３８と、貯留装置（遊技機に投入されたメダル、または入賞によって獲得したメダルを貯留して、その貯留数を電磁的方法よって記憶可能とする機能を備えた装置）に貯留された範囲、すなわちクレジットされた範囲内で、メダルを最大枚数賭けで一度に擬似投入し得るＭＡＸＢＥＴボタン２７と、押した回数に応じて最大賭け枚数まで加算的に擬似投入し得る貯留メダル投入ボタン２８と、クレジットされたメダルの精算を行う貯留メダル精算ボタン２９とが設けられている。
【００２９】
さらにまた、回胴視認部１９の下側に横長状に設けられた操作パネル部３０には、メダル投入口２５内に詰まったメダルを返却させるための返却ボタン２６、回胴９の回転を一斉に開始させるための回胴回転始動レバー３１、および各回胴９の回転を個別に停止させるための３個の回胴回転停止ボタン３２等が設けられている。また操作パネル部３０の右側には、鍵穴３３が設けられている。この鍵穴３３は前扉２を解錠するためのものであり、この穴に所定の鍵を差し込んで回すと、前扉２の錠装置における施錠機構のロックが解除される。
【００３０】
また操作パネル部３０の下方には、遊技機をアピールするための装飾が施された装飾パネル部３４が設けられている。装飾パネル部３４の下方には、前扉２と一体的に装着された横長状のメダル受け皿３５が設けられ、このメダル受け皿３５には、上記メダル払出装置１１から払い出されたメダルや返却されたメダルを前側に排出するためのメダル払出口３６が開口している。また、前扉２の前面上部両側および前面下部両側には、遊技に伴う演出効果音を外部に出力する音響出力部としてのスピーカ３７が設けられている。
【００３１】
次に、前扉２の背面側の構成について説明する。図３に示すように、前扉２の背面側の上部には、スピーカ３７や装飾ランプ部２４（図１参照）などの演出手段を制御する演出制御基板３９、液晶表示装置２２を駆動制御する液晶制御基板４０などの基板が防護用ケースＫに収納されて取り付けられている。
【００３２】
回胴視認部１９の下方には、回胴回転停止ボタン３２が操作された旨を検出したり、回胴回転停止ボタン３２の内部のＬＥＤ（図示せず）を発光させたりする回胴停止スイッチ基板４１が配置されている。
【００３３】
回胴停止スイッチ基板４１の下方には、貯留メダル精算ボタン２９、貯留メダル投入ボタン２８、ＭＡＸＢＥＴボタン２７、回胴回転始動レバー３１、回胴回転停止ボタン３２などの各種遊技部品が操作されたときに生成される検出情報を主制御基板２１に送信するための遊技中継基板４２が配置されている。
【００３４】
そして、前扉２の裏面側のメダル投入装置３８に対応する位置には、メダル投入口２５に投入されたメダルが正規か否かを選別して、正規のメダルをメダルホッパー１２に導くメダルセレクタ４３が配設されている。
【００３５】
メダルセレクタ４３によって選別されたメダルが正規のメダルである場合にはスロープ（メダル誘導路）４８を通ってメダルホッパー１２に誘導され、それ以外のメダルである場合にはキャンセルシュータ５４からメダル払出通路４５を通ってメダル払出口３６に誘導されるようになっている。また、メダル払出通路４５は、メダルホッパー１２から払い出されたメダルをメダル受け皿３５に誘導する機能も有している。
【００３６】
図４は、このメダルセレクタ４３の一構成例を示す。前扉２の内部フレームに装着されたブラケット４６には、メダルセレクタ４３によって選別された正規のメダル４７を、メダルホッパー１２に案内する案内路４８ａを具備したスロープ４８が一体形成されている。
【００３７】
また、メダルセレクタ４３の矩形状のベース４９の上面部には、側部がサブプレート５０によって覆われ、メダル投入口２５から落下するメダルを受け入れるメダル入口５１が設けられており、このメダル入口５１から入り込むメダルは、ベース４９に形成されたメダルレール５２に沿って案内されるようになっている。このメダルレール５２の中間位置には、正規の大きさのメダルのみをガイドするセレクトプレート５３が配置されている。
【００３８】
これらのセレクトプレート５３は、投入されたメダルが規格寸法よりも小さいと、そのメダルをセレクトプレート５３で案内することなく、メダルセレクタ４３の直下に位置するキャンセルシュータ５４（上記した前扉２の正面下部のメダル払出し口３６に接続されている）に落下させる機能を有する。また、投入されたメダルが適正なものである場合、そのメダルは、セレクトプレート５３に沿って案内され、メダルレール５２の下流側に案内され、下端の出口５５からスロープ４８へと抜け出る（図５のメダルＭ４）。
【００３９】
なお、セレクトプレート５３は、図示してないソレノイドによって、メダルガイド位置又はメダル排出位置に位置付けされており、通常は、メダルガイド位置に位置付けされて、上記した適正メダルのガイド、及び適正でないメダルの排出を行なう。
【００４０】
上記メダルレール５２の下流側には、メダルが流れる方向に沿って２つのフォトセンサ（ダブル反射型フォトセンサ）からなるメダル検出センサ５６が配設されており、メダルがこれらのメダル検出センサ５６を通過すると、所定時間、タイミングをずらした検知信号を、遊技中継基板４２を介してスロットマシンの本体側の主制御基板２１に出力する。このように２つのメダル検出センサ５６を配置することで、メダルセレクタ４３を通過するメダルの適正な数がカウントできると共に、メダルの詰まりや不正操作等の異常動作を確実に検出することが可能となる。そして、この２つのメダル検出センサ５６を通過したメダルは、ブラケット４６に設けられたスロープ４８を介してスロットマシンの本体側に設置されたメダルホッパー１２に案内される。
【００４１】
上記したように、セレクトプレート５３は、通常、ソレノイドによって、メダルガイド位置に位置付けされているが、所定の条件の場合（例えば、規定枚数のメダルが既に投入されている場合、エラー発生中の場合、遊技が開始されている場合等）、セレクトプレート５３は、メダル排出位置に位置付けされ、メダル投入口２５から投入されるメダルを強制的にキャンセルシュータ５４に排出する。
【００４２】
上記したように、メダルセレクタ４３は、メダル投入口２５から投入され遊技機に使用されるメダルが正規か否かを選別し、正規のメダル４７をメダルホッパー１２への移送路に導く機能を備えている。
【００４３】
図５は、メダル投入装置３８のメダル投入口２５から上記メダルセレクタ４３の出口５５にかけて形成されるメダル通路５７を概略的に示したものである。
【００４４】
このメダル通路５７は、メダル投入装置３８のメダル投入口２５の下方にメダル投入口に沿って連続するように形成したメダル投入部５８と、このメダル投入部５８に連通されてメダルセレクタ４３のメダル進行方向の上流端に位置し、メダルの厚さ程度のメダル投入口２５から投入されたメダルＭ０を、そのままの状態（メダルの進入方向に対して平行な状態）で案内するメダル受入部５９と、このメダル受入部５９に続く湾曲通路６０および斜行通路６１と、メダルの進行方向の下流端に位置し、メダルホッパー１２（図２）に連絡されたメダル排出部６２と、メダル受入部５９とメダル排出部６２との間に位置し、非正規メダルＭ３をキャンセルシュータ５４に落下させてメダル払出口３６へ戻すメダル返却部７４とにより構成されている。上記メダル通路５７の湾曲通路６０と斜行通路６１は、メダル投入口２５から投入されたメダルＭ１が通過する際に、メダル自体の自重によりメダル通路５７の上流側（図５の上方）から下流側（図５の下方）に向かってメダルが進行可能となる形状に形成されている。この湾曲通路６０を通過させることでメダルＭ１の進行速度を減速させる。
【００４５】
上記のメダル通路５７には、そのメダル投入口２５からメダルセレクタ４３内の出口５５近傍に位置するメダル検出センサ５６までの適所に、メダルに接触してメダルを下流側に案内する回転ローラ６３が、その回転軸６４を中心として自在に回転するように設けられる。本実施形態の場合、回転ローラ６３はメダルセレクタ４３のメダル受入部５９に設けられている。しかし、回転ローラ６３は、上記メダル通路５７内の任意の場所に設けることができる。たとえば図５に示唆するように、メダル投入装置３８のメダル投入部５８に設ける形態とすることができ、あるいはメダルセレクタ４３の斜行通路６１に設ける形態とすることができる。
【００４６】
上記のいずれの場所に設ける場合も、回転ローラ６３は、図６に示すように、その回転軸６４が流下するメダル４７の面に平行で且つメダル通路５７に直交する方向の姿勢に維持され、メダルセレクタ４３のベース４９に回転自在に支持される。また、回転ローラ６３は、その外周面がメダル通路５７の内側に若干量だけ露出するように設けられる。若干量というのは、メダル受入部５９に流下して来る投入メダルＭ１を回転ローラ６３の表面に接触させて回転ローラ６３を回転させることができ、メダルＭ１の姿勢を正して、これにより複数枚のメダルの連続投下を可能とする一方で、メダルＭ１の自重による円滑な自然流下を阻害しない回転ローラ外周面の突入量である。
【００４７】
このように回転ローラ６３が配設されている結果、遊技者がメダルをメダル投入口２５に投入すべく、メダル４７をメダルガイド部６５の案内面に、図６に示すように、起立させた状態で載置すると、メダル４７は、メダル投入口２５からメダル投入部５８の若干下り傾斜した案内面５８ａに沿って滑り落ちて行き、回転ローラ６３に向かう。そして、メダルがメダル受入部５９の付近まで滑り落ちると、メダル４７の表面が下端部から回転ローラ６３に当接し、回転ローラ６３が図６に矢印で示す順方向に回転し、その回転作用（下向きの回転作用）によって、メダル４７は姿勢変化をメダル通路５７に沿った方向に受けながら自重で更に下方に向けて案内される。この姿勢修正作用に基づき、回転ローラ６３が設置されると、多数枚のメダル４７の連続的かつ円滑な投入が可能となる。
【００４８】
回転ローラ６３の回転軸６４には、図７に示すように、外周部に周方向に間隔を置いて複数の作用翼６６（遮光部または反射部）を有する回転体６７が固定されると共に、その回転体６７の外周囲には、発光部と受光部とからなる透過式または反射式の２つのフォトインタラプタ６８、６９（光センサ６８、６９）が周方向に相前後して設けられ、フォトインタラプタ６８、６９が回転体６７の作用翼６６を検出する順序により回転ローラ６３の回転方向を判別する回転方向検出センサ７０が構成されている。
【００４９】
例えば、正規のメダル４７が通過することにより回転ローラ６３が順方向（図６で反時計回り）に回転した場合は、一緒に回転体６７も順方向（図７で反時計方向）に回転し、その作用翼６６によりフォトインタラプタ６８、６９の光路がａ、ｂの順序で遮光される。このときフォトインタラプタ６８、６９から出力される検出パルス信号は、図７（イ）に示すように、パルスａ、ｂの順序となる。
【００５０】
ここで不正行為として、メダル投入口２５から図１１で説明した不正器具Ｆを図１０（ａ）の如く侵入させてメダルセレクタ４３内のメダル検出センサ５６を不正に操作し、その後に図（ｂ）のように不正器具Ｆをメダル投入口２５から引き出す行為を考えてみる。このような不正行為があった場合、異物を引き出す際に回転ローラ６３が不正器具Ｆとの接触摩擦力により回転し、回転ローラ６３の回転方向は、図１０（ｂ）に示すように、正常時の回転方向（図６）とは逆方向（図１０（ｂ）で反時計回り）になる。このように回転ローラ６３が逆方向に回転した場合、一緒に図７の回転体６７も逆方向に回転し、その作用翼６６によりフォトインタラプタ６８、６９の光路がｂ、ａの順序で遮光される。したがってフォトインタラプタ６８、６９から出力される検出パルス信号は、図７（ロ）に示すように、パルスｂ、ａの順序となる。
【００５１】
図８は、この回転方向検出センサ７０から出力される検出パルス信号の順序に基づき、異常かどうかを判断する制御を示したものである。主制御装置は回転ローラ６３の回転方向が順方向である間は（ステップＳ１０１：ＹＥＳ）、特に異常信号を発生せず、逆方向の回転が検出されたとき（ステップＳ１０１：ＮＯ）のみ異常である旨の報知信号を発生する（ステップＳ１０２）。ただし、メダルがメダル通路５７に詰まり、このメダルを除去する際にも回転ローラ６３が逆方向に回転することがあり得る。そこで実際には、回転ローラ６３が許容できる所定の回転角度を超えて逆方向に回転したことが検出されたとき、異常である旨の報知信号を発生する構成とすることが好ましい。
【００５２】
ここでメダルの直径をＤ、使用する回転ローラ６３の直径をｒとすると、検出精度を高める上で、回転ローラ６３は少なくともメダルの直径Ｄで１回転すること、つまり、ｒ≦Ｄ／πの関係にあることが望まれる。例えば、メダルの直径ＤがＤ＝２５ｍｍとすると、使用する回転ローラ６３の直径ｒはｒ≦２５／３．１４、つまり直径が約８ｍｍより直径の小さい回転ローラ６３を用いることが望ましい。このように構成すると、主制御基板２１に搭載したＣＰＵ（異常判別手段）は、回転ローラ６３が正常な方向とは異なる方向に、正規の遊技メダル４７の直径より長い距離に相当する所定角度、正確には回転ローラ６３の周面がメダル４７の直径より長く移動する距離に相当する角度を超えて回転した場合に、メダル通路５７への異物の挿入による異常と判断することになる。
【００５３】
また、回転ローラ６３の外周の移動距離と挿入した不正器具の移動量との間にすべりにより相違が発生していると、このすべりが検出誤差となり得るので、回転ローラ６３の外周面には、接触抵抗を増大させる表面加工を施すことが好ましい。たとえば、図９（ａ）に示すように回転ローラ６３の表面に回転軸線方向に筋状痕７１が残る形状に形成しまたは多数の突起を形成することによりローラ表面を粗面にする方法、図９（ｂ）に示すように回転ローラ６３の表面に接触抵抗の大きい材質で覆ってフリクション層７２を形成する方法、図９（ｃ）に示すようにメダル通路５７の回転ローラ６３と反対側の案内面に突起７３を形成し、不正器具Ｆを引き抜こうとした際に突起７３と回転ローラ６３との間でニップして引き抜き方向の動きを阻止する方法、などである。
【００５４】
上記実施形態では、回転ローラ６３の逆方向の回転を特に制限しなかったが、ブレーキシューなどの回転方向規制手段によって、回転ローラ６３の逆方向の回転が規制されている構成であってもよい。この構成の下では、不正行為等を目的としてメダル投入口２５に異物を侵入した際に、それを引き出すことが困難となることから不正行為の抑制効果がある。回転ローラ６３も逆方向に回転することが難い状態となるが、完全に逆方向回転しないという訳ではないので、そのような構成の下で不正器具を挿入し、これを強引に引き出した場合、回転ローラ６３が無視できない回転角度で回転することになるからである。このような回転角度を検出した場合、不正行為があったと判断して、異常を報知することができる。
【産業上の利用可能性】
【００５５】
本発明は、投入口に投入される遊技媒体を、これと接触する回転ローラを用いて所定方向へ導くように構成した遊技機に適用することができる。
【符号の説明】
【００５６】
１      筐体、
２      前扉、
３      左側板、
４      右側板、
５      上板、
６      底板、
７      背板、
８      中間棚、
９      回胴、
１０      回胴装置ユニット、
１１      メダル払出装置、
１２      メダルホッパー、
１３      メダル払出装置本体、
１４      メダル補助収納庫、
１５      余剰メダル排出口、
１６      電源基板ケース、
１７      主制御基板ケース、
１８      回胴設定基板（操作基板）、
１９      回胴視認部、
２０      液晶画面視認部、
２１      主制御基板、
２２      液晶表示装置（ＬＣＤユニット）、
２３      表示画面、
２４      装飾ランプ部、
２５      メダル投入口、
２６      返却ボタン、
２７      ＭＡＸＢＥＴボタン、
２８      貯留メダル投入ボタン、
２９      貯留メダル精算ボタン、
３０      操作パネル部、
３１      回胴回転始動レバー、
３２      回胴回転停止ボタン、
３３      鍵穴、
３４      装飾パネル部、
３５      メダル受け皿、
３６      メダル払出口、
３７      スピーカ、
３８      メダル投入装置、
３９      演出制御基板、
４０      液晶制御基板、
４１      回胴停止スイッチ基板、
４２      遊技中継基板、
４３      メダルセレクタ、
４５      メダル払出通路、
４６      ブラケット、
４７      正規のメダル、
４８      スロープ、
４９      ベース、
５０      サブプレート、
５１      メダル入口、
５２      メダルレール、
５３      セレクトプレート、
５４      キャンセルシュータ、
５５      出口、
５６      メダル検出センサ、
５７      メダル通路、
５８      メダル投入部、
５９      メダル受入部、
６０      湾曲通路、
６１      斜行通路、
６２      メダル排出部、
６３      回転ローラ、
６４      回転軸、
６５      メダルガイド部、
６６      作用翼、
６７      回転体、
６８      フォトインタラプタ、
６９      フォトインタラプタ（光センサ）、
７０      回転方向検出センサ、
７１      筋状痕、
７２      フリクション層、
７３      突起
７４      メダル返却部。
【図１】
2010201106.tif 000003
【図２】
2010201106.tif 000004
【図３】
2010201106.tif 000005
【図４】
2010201106.tif 000006
【図５】
2010201106.tif 000007
【図６】
2010201106.tif 000008
【図７】
2010201106.tif 000009
【図８】
2010201106.tif 000010
【図９】
2010201106.tif 000011
【図１０】
2010201106.tif 000012
【図１１】
2010201106.tif 000013